(57)【要約】  積層型コンデンサであって、積層体と、内部電極層に接続された一対の外部電極とを備え、積層体は、長方形状の上面、下面と、上面、下面の長辺側に隣接する一対の側面と、上面、下面の短辺側に隣接する一対の端面とを有し、外部電極は、側面に設けられた側面部と上面に延在する上面延在部と下面に延在する下面延在部とを有し、側面部と下面延在部との間の稜線部の積層体の長手方向に沿った長さが側面部と上面延在部との間の稜線部の積層体の長手方向に沿った長さよりも大きい。
2016208633.tif 000002
【特許請求の範囲】
【請求項１】
誘電体層と内部電極層とが交互に積層された直方体状の積層体と、
該積層体の外表面に設けられた、互いに異なる前記内部電極層にそれぞれ電気的に接続された一対の外部電極とを備えており、
前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有し、
前記一対の外部電極は、前記側面の中央部を含むように前記側面に設けられた側面部と該側面部から前記上面に延在する上面延在部と前記側面部から前記下面に延在する下面延在部とを有しており、
前記外部電極は、前記側面部と前記下面延在部との間の稜線部における前記積層体の長手方向に沿った長さが前記側面部と前記上面延在部との間の稜線部における前記積層体の長手方向に沿った長さよりも大きいことを特徴とする積層型コンデンサ。
【請求項２】
前記上面延在部および前記下面延在部は、前記積層体の長手方向に沿った長さが前記上面および前記下面の中央部に向かうにつれて漸次小さくなっていることを特徴とする請求項１に記載の積層型コンデンサ。
【請求項３】
前記上面延在部および前記下面延在部は、前記上面および前記下面の中央部に向かって凸状に湾曲して延在していることを特徴とする請求項１または請求項２に記載の積層型コンデンサ。
【請求項４】
前記下面延在部の先端部は、積層方向から平面透視して前記上面延在部の先端部よりも前記下面の中央部側に位置していることを特徴とする請求項１乃至請求項３のいずれかに記載の積層型コンデンサ。
【請求項５】
前記下面延在部の厚みは、前記上面延在部の厚みよりも厚いことを特徴とする請求項１乃至請求項４のいずれかに記載の積層型コンデンサ。
【請求項６】
前記側面部は、前記側面に垂直な方向から側面視して前記積層体の長手方向に沿った長さが前記上面の側よりも前記下面の側の方が大きいことを特徴とする請求項１乃至請求項５のいずれかに記載の積層型コンデンサ。
【請求項７】
前記側面部は、前記側面に垂直な方向から側面視して前記積層体の長手方向に沿った長さが前記下面の側から前記上面の側に向かうにつれて漸次小さくなっていることを特徴とする請求項１乃至請求項６のいずれかに記載の積層型コンデンサ。
【請求項８】
前記側面部は、両側部が内側に凹む湾曲部を有していることを特徴とする請求項１乃至請求項６のいずれかに記載の積層型コンデンサ。
【請求項９】
前記側面部は、前記側面に垂直な方向から側面視して前記積層体の長手方向に沿った長さが中央部から前記上面の側および前記下面の側に向かうにつれて漸次大きくなっていることを特徴とする請求項１乃至請求項６のいずれかに記載の積層型コンデンサ。
【請求項１０】
誘電体層と内部電極層とが交互に積層された直方体状の積層体と、
該積層体の外表面に設けられた、互いに異なる前記内部電極層にそれぞれ電気的に接続された一対の外部電極とを備えており、
前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有し、
前記一対の外部電極は、前記端面の中央部を含むように前記端面に設けられた端面部と該端面部から前記上面に延在する上面延在部と前記端面部から前記下面に延在する下面延在部とを有しており、
前記外部電極は、前記端面部と前記下面延在部との間の稜線部における前記積層体の短手方向に沿った長さが前記端面部と前記上面延在部との間の稜線部における前記積層体の短手方向に沿った長さよりも大きいことを特徴とする積層型コンデンサ。
【請求項１１】
前記上面延在部および前記下面延在部は、前記積層体の短手方向に沿った長さが前記上面および前記下面の中央部に向かうにつれて漸次小さくなっていることを特徴とする請求項１０に記載の積層型コンデンサ。
【請求項１２】
前記上面延在部および前記下面延在部は、前記上面および前記下面の中央部に向かって凸状に湾曲して延在していることを特徴とする請求項１０または請求項１１に記載の積層型コンデンサ。
【請求項１３】
前記下面延在部の先端部は、積層方向から平面透視して前記上面延在部の先端部よりも前記下面の中央部側に位置していることを特徴とする請求項１０乃至請求項１２のいずれかに記載の積層型コンデンサ。
【請求項１４】
前記下面延在部の厚みは、前記上面延在部の厚みよりも厚いことを特徴とする請求項１０乃至請求項１３のいずれかに記載の積層型コンデンサ。
【請求項１５】
前記端面部は、前記端面に垂直な方向から側面視して前記積層体の短手方向に沿った長さが前記上面の側よりも前記下面の側の方が大きいことを特徴とする請求項１０乃至請求項１４のいずれかに記載の積層型コンデンサ。
【請求項１６】
前記端面部は、前記端面に垂直な方向から側面視して前記積層体の短手方向に沿った長さが前記下面の側から前記上面の側に向かうにつれて漸次小さくなっていることを特徴とする請求項１０乃至請求項１５のいずれかに記載の積層型コンデンサ。
【請求項１７】
前記端面部は、両側部が内側に凹む湾曲部を有していることを特徴とする請求項１０乃至請求項１５のいずれかに記載の積層型コンデンサ。
【請求項１８】
前記端面部は、前記端面に垂直な方向から側面視して前記積層体の短手方向に沿った長さが中央部から前記上面の側および前記下面の側に向かうにつれて漸次大きくなっていることを特徴とする請求項１０乃至請求項１５のいずれかに記載の積層型コンデンサ。
【請求項１９】
請求項１乃至請求項１８のいずれかに記載の積層型コンデンサと基板とが、前記下面と前記基板の実装面とが対向するように配置されるとともに、前記一対の外部電極を介して接合されていることを特徴とする実装構造体。
【発明の詳細な説明】
【技術分野】
【０００１】
本発明は、複数の誘電体層と内部電極層とが交互に積層された積層体に一対の外部電極を設けた積層型コンデンサに関するものである。
【背景技術】
【０００２】
積層型コンデンサは、誘電体層と内部電極層とが交互に積層されており、誘電体層を構成するセラミック材料としては、誘電率が比較的高いチタン酸バリウム等の強誘電体材料が一般的に用いられている。例えば、このような積層型コンデンサに交流成分が重畳された直流電圧が印加されると、電圧による電歪効果から誘電体層に歪みが発生して、積層型コンデンサは振動する。積層型コンデンサは、はんだ等を介して基板に実装されており、振動が基板に伝播する。さらに、積層型コンデンサは、振動によって基板を共鳴させるとともに振動を増幅させて、基板に振動音を発生させる。そして、基板は、可聴域の共振周波数で共振した際に、可聴音が生じ、いわゆる、「音鳴き」という現象が生じる。具体的には、積層型コンデンサは、一対の外部電極と基板とがはんだを介して実装されており、振動が外部電極に形成されたはんだ接合部を介して基板を変形させるので、基板において振動音を発生させることになる。【０００３】
積層型コンデンサは、音鳴きを低減するとして、積層体の一対の側面の中央部に一対の外部電極を設けている。このような積層型コンデンサは、例えば、特許文献１に開示されている。
【先行技術文献】
【特許文献】
【０００４】
【特許文献１】特開２００７−１９４３１２号公報
【発明の概要】
【０００５】
本発明の一実施形態の積層型コンデンサは、誘電体層と内部電極層とが交互に積層された直方体状の積層体と、該積層体の外表面に設けられた、互いに異なる前記内部電極層にそれぞれ電気的に接続された一対の外部電極とを備えている。前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有している。前記一対の外部電極は、前記側面の中央部を含むように前記側面に設けられた側面部と該側面部から前記上面に延在する上面延在部と前記側面部から前記下面に延在する下面延在部とを有している。また、前記外部電極は、前記側面部と前記下面延在部との間の稜線部における前記積層体の長手方向に沿った長さが前記側面部と前記上面延在部との間の稜線部における前記積層体の長手方向に沿った長さよりも大きい。
【０００６】
また、本発明の一実施形態の積層型コンデンサは、誘電体層と内部電極層とが交互に積層された直方体状の積層体と、該積層体の外表面に設けられた、互いに異なる前記内部電極層にそれぞれ電気的に接続された一対の外部電極とを備えている。前記積層体は、前記誘電体層と前記内部電極層との積層方向に位置する、互いに対向する長方形状の上面および下面と、該上面および下面の長辺側に隣接する一対の側面と、前記上面および下面の短辺側に隣接する一対の端面とを有している。前記一対の外部電極は、前記端面の中央部を含むように前記端面に設けられた端面部と該端面部から前記上面に延在する上面延在部と前記端面部から前記下面に延在する下面延在部とを有している。また、前記外部電極は、前記端面部と前記下面延在部との間の稜線部における前記積層体の短手方向に沿った長さが前記端面部と前記上面延在部との間の稜線部における前記積層体の短手方向に沿った長さよりも大きい。
【図面の簡単な説明】
【０００７】
【図１】（ａ）は実施の形態１に係る積層型コンデンサを示す概略の斜視図であり、（ｂ）は（ａ）に示す積層型コンデンサのＡ−Ａ線で切断した断面図であり、（ｃ）は（ａ）に示す積層型コンデンサのＢ−Ｂ線で切断した断面図である。
【図２】図１に示す積層型コンデンサであって、（ａ）は上面側から平面視した平面図であり、（ｂ）は側面側から側面視した側面図であり、（ｃ）は下面側から平面視した平面図である。
【図３】（ａ）〜（ｃ）は内部電極層を説明するための平面図である。
【図４】（ａ）および（ｂ）は実施の形態２に係る積層型コンデンサを側面側から側面視した側面図である。
【図５】（ａ）〜（ｃ）は実施の形態３に係る積層型コンデンサを側面側から側面視した側面図である。
【図６】（ａ）および（ｂ）は実施の形態４に係る積層型コンデンサを側面側から側面視した側面図である。
【図７】（ａ）は図４（ｂ）に示す積層型コンデンサの外部電極における溶融はんだの這い上がり状態を模式的に説明するための説明図でり、（ｂ）は図６（ｂ）に示す積層型コンデンサの外部電極における溶融はんだの這い上がり状態を模式的に説明するための説明図である。
【図８】実施の形態５に係る積層型コンデンサであってＢ−Ｂ線に相当する線で切断した断面図である。
【図９】図８に示す積層型コンデンサであって、（ａ）は上面側から平面視した平面図であり、（ｂ）は側面側から側面視した側面図であり、（ｃ）は下面側から平面視した平面図である。
【図１０】実施の形態６に係る積層型コンデンサであって、（ａ）はＡ−Ａ線に相当する線で切断した断面図であり、（ｂ）はＢ−Ｂ線に相当する線で切断した断面図である。
【図１１】実施の形態６に係る積層型コンデンサであってＢ−Ｂ線に相当する線で切断した断面図である。
【図１２】（ａ）は実施の形態７に係る積層型コンデンサを示す概略の斜視図であり、（ｂ）は（ａ）に示す積層型コンデンサのＣ−Ｃ線で切断した断面図であり、（ｃ）は（ａ）に示す積層型コンデンサのＤ−Ｄ線で切断した断面図である。
【図１３】（ａ）は図１に示す積層型コンデンサを基板上に基板実装した状態を示す概略の斜視図であり、（ｂ）は（ａ）に示す積層型コンデンサをＥ−Ｅ線で切断したものであって、基板実装した実装構造体を示す断面図である。
【図１４】（ａ）は従来の積層型コンデンサを示す概略の斜視図であり、（ｂ）は座標軸のＺ方向からみた平面図であり、（ｃ）は（ｂ）の積層型コンデンサを基板上に基板実装してＦ−Ｆ線で切断した従来の実装構造体を示す断面図である。
【図１５】従来の積層型コンデンサ単体に４ＶのＤＣバイアスを印加した場合のインピーダンス測定結果を示すグラフである。
【図１６】従来の積層型コンデンサ単体のインピーダンスのシミュレーションに使用した有限要素法のモデルの模式図である。
【図１７】従来の積層型コンデンサ単体の１０ｋＨｚにおける振動の計算結果を示すものであって、（ａ）は対称面側からみた斜視図であり、（ｂ）は表面側からみた斜視図である。
【図１８】（ａ）は従来の積層型コンデンサ単体における振動モードの節状部を模式的に示す斜視図であり、（ｂ）は（ａ）の振動モードの節状部に外部電極を設けた状態を模式的に示す斜視図である。
【図１９】図１に示す積層型コンデンサの製造方法を説明するための説明図である。
【発明を実施するための形態】
【０００８】
＜実施の形態１＞
本発明の実施の形態１に係る積層型コンデンサ１０は図面を参照しながら説明する。また、積層型コンデンサ１０は、便宜的に、直交座標系ＸＹＺを定義するとともに、Ｚ方向の正側を上方、負側を下方として、上面４ａもしくは下面４ｂの用語を用いるものとする。本実施の形態では、一対の第１の面および第２の面のうち第１の面が上面４ａとなり、第２の面が下面４ｂとなる。なお、各図面において、同じ部材および同じ部分に関しては共通の符号を用いて、重複する説明は省略する。
【０００９】
図１（ａ）は、本発明の実施の形態１に係る積層型コンデンサ１０を示す概略の斜視図である。積層型コンデンサ１０は、誘電体層１ａと内部電極層２（第１の内部電極層２ａおよび第２の内部電極層２ｂ）とが交互に積層されている。一対の外部電極３（第１の外部電極３ａおよび第２の外部電極３ｂ）は直方体状の積層体１の一対の側面（第１の側面４ｅおよび第２の側面４ｆ）に設けられ、互いに異なる内部電極層２にそれぞれ電気的に接続されている。積層体１は、内部に第１の内部電極層２ａと第２の内部電極層２ｂとが交互に誘電体層１ａを介して積層された直方体状のものである。
【００１０】
積層体１は、誘電体層１ａと内部電極層２（第１の内部電極層２ａおよび第２の内部電極層２ｂ）との積層方向に、互いに対向する長方形状の上面４ａおよび下面４ｂが位置している。一対の側面（第１の側面４ｅおよび第２の側面４ｆ）は、上面４ａと下面４ｂとの間に位置するとともに上面４ａおよび下面４ｂの長辺側に隣接して互いに対向している。一対の端面（第１の端面４ｃおよび第２の端面４ｄ）は、上面４ａと下面４ｂとの間に位置するとともに上面４ａおよび下面４ｂの短辺側に隣接して互いに対向している。一対の側面（第１の側面４ｅおよび第２の側面４ｆ）は積層体１の長手方向（Ｘ方向）に沿って位置している。また、一対の端面（第１の端面４ｃおよび第２の端面４ｄ）が積層体１の短手方向（Ｙ方向）に沿って位置している。
【００１１】
このように、積層体１は、一対の端面が上面４ａと下面４ｂとの間に位置し、上面４ａおよび下面４ｂに直交しており、一対の側面が上面４ａと下面４ｂとの間に位置し、上面４ａおよび下面４ｂに直交しており、一対の端面と一対の側面とが直交している。直方体状とは、立方体形状または直方体形状のみならず、例えば、立方体または直方体の稜線部分に面取りが施されて、稜線部分がＲ形状になっているものを含んでいる。
【００１２】
積層体１は、誘電体層１ａの表面に内部電極層２が形成されたセラミックグリーンシートを複数枚積層して焼成することで得られる焼結体である。このように、積層体１は、直方体状に形成されており、誘電体層１ａおよび内部電極層２の積層方向（Ｚ方向）に直交する方向の断面（ＸＹ面）となる平面が長方形状になっている。
【００１３】
一対の外部電極３は、図１に示すように、第１の外部電極３ａおよび第２の外部電極３ｂからなる。第１の外部電極３ａは、側面部３ａ１と上面延在部３ａ２と下面延在部３ａ３とを有している。側面部３ａ１は第１の側面４ｅの中央部を含むように第１の側面４ｅに設けられている。上面延在部３ａ２は側面部３ａ１から積層体１の短手方向（Ｙ方向）の中央部に向かって上面４ａ上に延在している。下面延在部３ａ３は側面部３ａ１から積層体１の短手方向（Ｙ方向）の中央部に向かって下面４ｂ上に延在している。
【００１４】
また、第２の外部電極３ｂは、側面部３ｂ１と上面延在部３ｂ２と下面延在部３ｂ３とを有している。側面部３ｂ１は第２の側面４ｆの中央部を含むように第２の側面４ｆに設けられている。上面延在部３ｂ２は側面部３ｂ１から積層体１の短手方向（Ｙ方向）の中央部に向かって上面４ａ上に延在している。下面延在部３ｂ３は側面部３ｂ１から積層体１の短手方向（Ｙ方向）の中央部に向かって下面４ｂ上に延在している。
【００１５】
図２は、積層型コンデンサ１０の上面図、側面図および下面図であり、一対の外部電極３の形状をそれぞれ示したものである。図２（ａ）は、積層型コンデンサ１０を上面４ａ側から平面視した平面図で第１の外部電極３ａの上面延在部３ａ２および第２の外部電極３ｂの上面延在部３ｂ２をそれぞれ示している。図２（ｂ）は、積層型コンデンサ１０を第１の側面４ｅ側から側面視した側面図であり、第１の外部電極３ａの側面部３ａ１を示している。図２（ｃ）は、積層型コンデンサ１０を下面４ｂ側から平面視した平面図で第１の外部電極３ａの下面延在部３ａ３および第２の外部電極３ｂの下面延在部３ｂ３をそれぞれ示している。また、第２の外部電極３ｂは、側面部３ａ１と同様に、側面部３ｂ１が図２（ｂ）に示すような形状になっている。
【００１６】
図２に示すように、上面延在部３ａ２（上面延在部３ｂ２）および下面延在部３ａ３（下面延在部３ｂ３）は、上面４ａおよび下面４ｂの中央部に向かって凸状に湾曲しており、例えば、中央部に向かって円弧状に湾曲している。また、一対の外部電極３は、積層方向から平面透視して上面延在部３ａ２（上面延在部３ｂ２）の積層体１の短手方向（Ｙ方向）の長さＷ１および下面延在部３ａ３（下面延在部３ｂ３）の積層体１の短手方向（Ｙ方向）の長さＷ２がほぼ同じ長さで設けられている。上面延在部３ａ２（上面延在部３ｂ２）および下面延在部３ａ３（下面延在部３ｂ３）は、凸状に湾曲して上面４ａおよび下面４ｂに延在している。
【００１７】
また、積層型コンデンサ１０は、上面４ａおよび下面４ｂが振動振幅が大きく、上面延在部３ａ２（上面延在部３ｂ２）および下面延在部３ａ３（下面延在部３ｂ３）の領域を小さくしている。積層型コンデンサ１０は、振動が基板９に伝わりにくくするとともに、実装安定性を向上させるために、積層体１の短手方向（Ｙ方向）の長さに対して、長さＷ１および長さＷ２が、０．０２〜０．４の範囲内であってもよい。
【００１８】
上面延在部３ａ２および下面延在部３ａ３は、積層体１の長手方向（Ｘ方向）に沿った長さが第１の側面４ｅ側から上面４ａおよび下面４ｂの中央部側に向かって漸次小さくなっている。上面延在部３ａ２および下面延在部３ａ３は、上面４ａおよび下面４ｂの中央部側に突出するように凸状に湾曲しており、中央部側に向かって湾曲する湾曲部を有している。
【００１９】
また、上面延在部３ｂ２および下面延在部３ｂ３は、積層体１の長手方向（Ｘ方向）に沿った長さが第２の側面４ｆ側から上面４ａおよび下面４ｂの中央部側に向かって漸次小さくなっている。上面延在部３ｂ２および下面延在部３ｂ３は、上面４ａおよび下面４ｂの中央部側に突出するように凸状に湾曲しており、中央部側に向かって湾曲する湾曲部を有している。
【００２０】
このように、上面延在部３ａ２および下面延在部３ａ３は、中央部側に向かって凸状に湾曲する湾曲部を有しており、湾曲部が、例えば、凸状に湾曲する円弧状、半円形状または半楕円形状等である。同様に、上面延在部３ｂ２および下面延在部３ｂ３は、中央部側に向かって凸状に湾曲する湾曲部を有しており、湾曲部が、例えば、凸状に湾曲する円弧状、半円形状または半楕円形状等である。
【００２１】
積層型コンデンサ１０は、上面延在部３ａ２（上面延在部３ｂ２）および下面延在部３ａ３（下面延在部３ｂ３）が上面４ａおよび下面４ｂの中央部に向かって凸状に湾曲して延在している。したがって、積層型コンデンサ１０は、外部電極３が積層体１から剥離しにくくなり、また、はんだ接合部においては、はんだに亀裂等が生じにくくなり実装の信頼性を向上させることができる。
【００２２】
また、上面延在部３ａ２（上面延在部３ｂ２）および下面延在部３ａ３（下面延在部３ｂ３）は、積層方向から平面視して、例えば、第１の側面４ｅ（第２の側面４ｆ）側を底辺（下辺）とする三角形状、台形状または四角形状の多角形状等の形状であってもよい。上面延在部３ａ２（上面延在部３ｂ２）および下面延在部３ａ３（下面延在部３ｂ３）は、三角形状、台形状または四角形状等の形状でもって上面４ａおよび下面４ｂの中央部に向かって延在してもよい。また、三角形状または台形状は、積層体１の長手方向に沿った長さが上面４ａおよび下面４ｂの中央部に向かうにつれて漸次小さくなっている。なお、三角形状、台形状または四角形状等の多角形状は、その角部（頂点）が丸みを帯びている場合も含むものとする。
【００２３】
図２に示すように、第１の外部電極３ａにおいて、上面延在部３ａ２は、上面４ａに延在し、積層体１の長手方向に沿った第１の側面４ｅ側の長さが側面部３ａ１の上面４ａの側（Ｚ方向の正側）の長さとほぼ同じ長さで設けられている。また、下面延在部３ａ３は、下面４ｂに延在し、積層体１の長手方向に沿った第１の側面４ｅ側の長さが側面部３ａ１の下面４ｂの側（Ｚ方向の負側）の長さとほぼ同じ長さで設けられている。
【００２４】
具体的には、図２に示すように、上面延在部３ａ２は、第１の側面４ｅ側の長さＬ１（積層体１の長手方向に沿った長さ）が側面部３ａ１の上面４ａの側（Ｚ方向の正側）の長さとほぼ同じ長さで上面４ａに設けられている。また、下面延在部３ａ３は、第１の側面４ｅ側の長さＬ２（積層体１の長手方向に沿った長さ）が側面部３ａ１の下面４ｂの側（Ｚ方向の負側）の長さとほぼ同じ長さで下面４ｂに設けられている。
【００２５】
第１の外部電極３ａは、側面部３ａ１と下面延在部３ａ３との間の稜線部における積層体１の長手方向に沿った長さＬ２が側面部３ａ１と上面延在部３ａ２との間の稜線部における積層体１の長手方向に沿った長さＬ１よりも大きく、Ｌ２＞Ｌ１になっている。側面部３ａ１と下面延在部３ａ３との間の稜線部における積層体１の長手方向に沿った長さＬ２とは、第１の側面４ｅと下面４ｂとの間の稜線部に位置する第１の外部電極３ａの積層体１の長手方向に沿った長さである。また、側面部３ａ１と上面延在部３ａ２との間の稜線部における積層体１の長手方向に沿った長さＬ１とは、第１の側面４ｅと上面４ａとの間の稜線部に位置する第１の外部電極３ａの積層体１の長手方向に沿った長さである。なお、長さＬ３は、積層方向の中央部における側面部３ａ１（側面部３ｂ１）の積層体１の長手方向に沿った長さである。
【００２６】
また、同様に、第２の外部電極３ｂにおいて、上面延在部３ｂ２は、上面４ａに延在し、積層体１の長手方向に沿った第２の側面４ｆ側の長さが側面部３ｂ１の上面４ａの側（Ｚ方向の正側）の長さとほぼ同じ長さで設けられている。また、下面延在部３ｂ３は、下面４ｂに延在し、積層体１の長手方向に沿った第２の側面４ｆ側の長さが側面部３ｂ１の下面４ｂの側（Ｚ方向の負側）側の長さとほぼ同じ長さで設けられている。
【００２７】
具体的には、上面延在部３ｂ２は、第２の側面４ｆ側の長さＬ１（積層体１の長手方向に沿った長さ）が側面部３ｂ１の上面４ａの側（Ｚ方向の正側）側の長さとほぼ同じ長さで上面４ａに設けられている。また、下面延在部３ｂ３は、第２の側面４ｆ側の長さＬ２（積層体１の長手方向に沿った長さ）が側面部３ｂ１の下面４ｂの側（Ｚ方向の負側）側の長さとほぼ同じ長さで下面４ｂに設けられている。
【００２８】
第２の外部電極３ｂは、側面部３ｂ１と下面延在部３ｂ３との間の稜線部における積層体１の長手方向に沿った長さＬ２が側面部３ｂ１と上面延在部３ｂ２との間の稜線部における積層体１の長手方向に沿った長さＬ１よりも大きく、Ｌ２＞Ｌ１になっている。側面部３ｂ１と下面延在部３ｂ３との間の稜線部における積層体１の長手方向に沿った長さＬ２とは、第２の側面４ｆと下面４ｂとの間の稜線部に位置する第２の外部電極３ｂの積層体１の長手方向に沿った長さである。また、側面部３ｂ１と上面延在部３ｂ２との間の稜線部における積層体１の長手方向に沿った長さＬ１とは、第２の側面４ｆと上面４ａとの間の稜線部に位置する第２の外部電極３ｂの積層体１の長手方向に沿った長さである。
【００２９】
積層型コンデンサ１０において、図１および図２に示すように、一対の外部電極３は、側面部３ａ１(側面部３ｂ１）と下面延在部３ａ３（下面延在部３ｂ３）との間の稜線部における積層体１の長手方向に沿った長さＬ２が側面部３ａ１（側面部３ｂ１）と上面延在部３ａ２（上面延在部３ｂ２）との間の稜線部における積層体１の長手方向に沿った長さＬ１よりも大きくなるように設けられている。積層型コンデンサ１０は、音鳴きの抑制および実装安定性ということから、長さＬ１および長さＬ２が、Ｌ１：Ｌ２＝１：１．５〜２の関係にあってもよい。積層型コンデンサ１０は、長さＬ１および長さＬ３がほぼ同じ長さになっている。
【００３０】
また、長さＬ２は、積層型コンデンサ１０を実装した時の基板９の振動を低減するために、積層体１の長手方向の長さに対して、０．８以下の長さであってもよい。さらに、長さＬ２は、実装信頼性を向上させるために、積層体１の長手方向の長さに対して、０．６以上の長さであってもよい。
【００３１】
積層型コンデンサ１０は、例えば、スクリーン印刷法またはローラ転写法等を用いて、下地電極５となる導電性ペースト１７を積層体１に印刷または転写することによって、ｌ２＞Ｌ１の関係を有する一対の外部電極３を形成することができる。なお、第１の外部電極３ａおよび第２の外部電極３ｂの形成方法については後述する。
【００３２】
内部電極層２は、図１に示すように、第１の内部電極層２ａおよび第２の内部電極層２ｂを含んでいる。第１の内部電極層２ａおよび第２の内部電極層２ｂは、所定間隔を介して互いに対向しており、積層体１内の複数の誘電体層１ａを介して積層方向に配置されている。また、内部電極層２は、積層体１の上面４ａおよび下面４ｂに略平行になるように設けられている。
【００３３】
第１の外部電極３ａは、図３に示すように、側面部３ａ１が第１の側面４ｅの中央部を含むように設けられ、第１の側面４ｅに引き出された第１の内部電極層２ａに電気的に接続されている。また、第２の外部電極３ｂは、図３に示すように、側面部３ｂ１が第２の側面４ｆの中央部を含むように設けられ、第２の側面４ｆに引き出された第２の内部電極層２ｂに電気的に接続されている。
【００３４】
第１の内部電極層２ａは、図３（ｂ）に示すように、第１の側面４ｅ側の中央部に第１の側面４ｅへの引出部２ａａを有しており、引出部２ａａが第１の側面４ｅに引き出され、第１の側面４ｅに露出するように配置されている。
【００３５】
また、第２の内部電極層２ｂは、図３（ｃ）に示すように、第２の側面４ｆ側の中央部に第２の側面４ｆへの引出部２ｂａを有しており、引出部２ｂａが第１の側面４ｅに対向する第２の側面４ｆに引き出され、第２の側面４ｆに露出するように配置されている。なお、第１の内部電極層２ａおよび第２の内部電極層２ｂは、第１の端面４ｃおよび第２の端面４ｄには露出していない。図３（ａ）は、第１の側面４ｅに露出する第１の内部電極層２ａを実線で示し、第２の側面４ｆに露出する第２の内部電極層２ｂを破線で示している。
【００３６】
このように、積層型コンデンサ１０は、第１の外部電極３ａが第１の側面４ｅの中央部に設けられ、第２の外部電極３ｂが第２の側面４ｆの中央部に設けられている。第１の外部電極３ａは、図３（ｂ）に示すように、側面部３ａ１が第１の側面４ｅに引き出された第１の内部電極層２ａの引出部２ａａを覆うように設けられ、第１の内部電極層２ａに電気的に接続されている。また、第２の外部電極３ｂは、図３（ｃ）に示すように、側面部３ｂ１が第２の側面４ｆに引き出された第２の内部電極層２ｂの引出部２ｂａを覆うように設けられ、第２の内部電極層２ｂに電気的に接続されている。
【００３７】
第１の側面４ｅの中央部とは、第１の側面４ｅを垂直に２等分する２等分線８を含む領域であり、第１の外部電極３ａは側面部３ａ１がこの領域を含んで設けられている。また、第２の側面４ｆの中央部とは、第２の側面４ｆを垂直に２等分する２等分線８を含む領域であり、第２の外部電極３ｂは側面部３ｂ１がこの領域を含んで設けられている。なお、図３（ａ）は２等分線８を長鎖線で示している。
【００３８】
このように、内部電極層２は、異なる外部電極３に電気的に接続されており、一対の外部電極３に電圧が印加されることによって一対の内部電極層２（第１の内部電極層２ａおよび第２の内部電極層２ｂ）に挟まれた誘電体層１ａにおいて静電容量が発生する。
【００３９】
このような構成の積層型コンデンサ１０は、例えば、長手方向（Ｘ方向）の長さが、０．６（ｍｍ）〜２．２（ｍｍ）であり、短手方向（Ｙ方向）の長さが、０．３（ｍｍ）〜１．５（ｍｍ）であり、高さ方向（Ｚ方向）の長さが、０．３（ｍｍ）〜１．２（ｍｍ）である。
【００４０】
誘電体層１ａは、積層方向（Ｚ方向）からの平面視において長方形状である。図１に示す誘電体層１ａおよび内部電極層２の構造は模式的なものであり、実際には数層〜数百層の誘電体層１ａと内部電極層２とが積層されたものが多く用いられており、１層当たりの厚みが、例えば、０．２（μｍ）〜３（μｍ）である。積層体１は、例えば、１０（層）〜１０００（層）からなる複数の誘電体層１ａと内部電極層２とがＺ方向に積層されている。また、積層体１内の内部電極層２の積層数は、積層型コンデンサ１０の特性等に応じて適宜に設定される。
【００４１】
誘電体層１ａは、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等である。また、誘電体層１ａは、高い誘電率の点から、特に、誘電率の高い強誘電体材料としてチタン酸バリウムを用いてもよい。
【００４２】
図３に示すように、引出部２ａａおよび引出部２ｂａは、積層体１の長手方向（Ｘ方向）に沿った長さがほぼ同じ長さになるように設けられている。これに限らず、引出部２ａａおよび引出部２ｂａは、積層体１の長手方向（Ｘ方向）に沿った長さが互いに異なっていてもよい。
【００４３】
また、引出部２ａａ（引出部２ｂａ）は、振動の対称性を保ち、積層型コンデンサ１０を実装した基板９を振動させる要素を低減するために、第１の側面４ｅ（第２の側面４ｆ）の露出部を第１の側面４ｅ（第２の側面４ｆ）の２等分線８を含むように設けてもよい。
【００４４】
内部電極層２の導電材料は、例えば、ニッケル（Ｎｉ）、銅（Ｃｕ）、銀（Ａｇ）、パラジウム（Ｐｄ）または金（Ａｕ）等の金属材料である。または、内部電極層２の導電材料は、これらの金属材料の一種以上を含む、例えば、Ａｇ−Ｐｄ合金等の合金材料である。また、第１の内部電極層２ａおよび第２の内部電極層２ｂは、電極の厚みが、例えば、０．２（μｍ）〜２（μｍ）である。厚みは、用途に応じて厚みを適宜に設定すればよい。また、第１の内部電極層２ａおよび第２の内部電極層２ｂは、同一の金属材料または合金材料によって形成してもよい。
【００４５】
このように、一対の外部電極３（第１の外部電極３ａおよび第２の外部電極３ｂ）は、図１に示すように、積層体１の外表面（上面４ａ、第１の側面４ｅおよび下面４ｂ、上面４ａ、第２の側面４ｆおよび下面４ｂ）に形成されている。また、一対の外部電極３は、下地電極５および金属層６を含んでいる。一対の下地電極５は、第１の下地電極が第１の側面４ｅから上面４ａおよび下面４ｂに延在するように形成され、また、第２の下地電極が第２の側面４ｆから上面４ａおよび下面４ｂに延在するように形成されている。金属層６は、下地電極５を覆うように下地電極５の表面上に形成されている。
【００４６】
一対の下地電極５は、第１の下地電極が第１の側面４ｅに引き出された第１の内部電極層２ａに電気的に接続され、第２の下地電極が第２の側面４ｆに引き出された第２の内部電極層２ｂに電気的に接続されている。下地電極５の導電材料は、例えば、Ｃｕ（銅）、ニッケル（Ｎｉ）、銀（Ａｇ）、パラジウム（Ｐｄ）または金（Ａｕ）等の金属材料、あるいは、これらの金属材料の一種以上を含む、例えば、Ｃｕ−Ｎｉ合金等の合金材料である。また、一対の下地電極５は、積層体１の表面に同一の金属材料または同一の合金材料によって形成してもよい。
【００４７】
このように、第１の外部電極３ａは、下地電極５および金属層６からなり、第１の側面４ｅを含んで上面４ａから下面４ｂにわたって設けられている。同様に、第２の外部電極３ｂは、下地電極５および金属層６からなり、第２の側面４ｆを含んで上面４ａから下面４ｂにわたって設けられている。
【００４８】
下地電極５は、図１（ｂ）および図１（ｃ）に示すように、積層体１の表面に形成されており、金属層６が下地電極５の全体を覆うように形成されている。また、金属層６は、図１（ｂ）および図１（ｃ）に示すように、第１の金属層６ａおよび第２の金属層６ｂを含んでいる。第１の金属層６ａは、下地電極５を覆うように下地電極５の表面上に形成されており、また、第２の金属層６ｂは、第１の金属層６ａを覆うように第１の金属層６ａの表面上に形成されている。
【００４９】
下地電極５は、上面４ａおよび下面４ｂにおける厚みが、例えば、３（μｍ）〜５（μｍ）であり、第１の側面４ｅおよび第２の側面４ｆにおける厚みが、例えば、５（μｍ）〜１０（μｍ）である。
【００５０】
金属層６は、例えば、第１の金属層６ａおよび第２の金属層６ｂがめっき層で形成される。第１の金属層６ａのめっき層は、下地電極５を覆うように下地電極５の表面上に形成される。第２の金属層６ｂのめっき層は、第１の金属層６ａのめっき層を覆うように第１の金属層６ａのめっき層の表面上に形成される。
【００５１】
第１の金属層６ａおよび第２の金属層６ｂのめっき層は、例えば、ニッケル（Ｎｉ）めっき層、銅（Ｃｕ）めっき層、金（Ａｕ）めっき層、銀（Ａｇ）めっき層または錫（Ｓｎ）めっき層等で形成される。積層型コンデンサ１０は、例えば、第１の金属層６ａがニッケル（Ｎｉ）めっき層であり、第２の金属層６ｂが錫（Ｓｎ）めっき層である。第１の金属層６ａのめっき層は、厚みが、例えば、５（μｍ）〜１０（μｍ）である。第２の金属層６ｂのめっき層は、厚みが、例えば、３（μｍ）〜５（μｍ）である。
【００５２】
本実施の形態１に係る積層型コンデンサ１０の実装構造体は以下で説明する。
【００５３】
図１３（ａ）は、積層型コンデンサ１０を基板９に実装した状態を示しており、図１３（ｂ）は、積層型コンデンサ１０を基板９に実装した状態であって、図１３（ａ）のＥ−Ｅ線で切断した断面図である。
【００５４】
積層型コンデンサ１０は、例えば、はんだを介して基板９上に実装される。基板９は、例えば、ノートパソコン、スマートフォンまたは携帯電話等に用いられるものである。基板９は、例えば、表面には積層型コンデンサ１０に電気的に接続される電気回路が形成されている。なお、基板９は、表面の絶縁層を省略して示している。
【００５５】
また、基板９は、図１３に示すように、例えば、積層型コンデンサ１０が実装される表面には基板電極９ａおよび基板電極９ｂが設けられ、基板電極９ａから配線（図示せず）が延びており、また、基板電極９ｂから配線（図示せず）が延びている。積層型コンデンサ１０は、例えば、第１の外部電極３ａと基板電極９ａとがはんだを介してはんだ接合され、また、第２の外部電極３ｂと基板電極９ｂとがはんだを介してはんだ接合される。積層型コンデンサ１０は、下面４ｂが基板９の実装面に対向して配置される。
【００５６】
積層型コンデンサ１０の実装構造体は、図１３に示すように、第１の外部電極３ａと基板電極９ａとがはんだ等の導電性材料を介して接合されており、また、第２の外部電極３ｂと基板電極９ｂとがはんだ等の導電性材料を介して接合されている。はんだ接合は、例えば、基板電極９ａおよび基板電極９ｂ上に印刷したはんだによって行なわれる。
【００５７】
第１の外部電極３ａと基板電極９ａとの間および第２の外部電極３ｂと基板電極９ｂとの間にははんだ層が形成され、側面部３ａ１および側面部３ｂ１に沿って、はんだフィレット層７が形成される。積層型コンデンサ１０は基板９にはんだを印刷して実装される。使用するはんだ材料は、外部電極３との濡れ性がよければ特に限定されない。。
【００５８】
従来の積層型コンデンサ１００は、図１４に示すように、直方体状の積層体１０１と、その両端部の外表面に設けられた外部電極１０３と、を備えている。図１４（ｂ）は、図１４（ａ）のＺ方向から視た平面図である。図１４（ｃ）は、図１４（ｂ）のＦ−Ｆ線で切断した断面図であり、基板９０に実装した積層型コンデンサ１００の従来の実装構造体を示している。
【００５９】
積層体１０１は、図１４（ｃ）に示すように、誘電体層１０１ａと内部電極層１０２とが交互に積層されたものである。内部電極層１０２は、積層体１０１の両端部のいずれかの端部において外部電極１０３と電気的に接続されている。また、積層型コンデンサ１００において、誘電体層１０１ａ、内部電極層１０２および外部電極１０３は、本実施の形態１に係る積層型コンデンサ１０と同様な材料を用いている。
【００６０】
従来の積層型コンデンサ１００は、図１４（ｃ）に示すように、外部電極１０３と、基板９０上の基板電極９０ａ、９０ｂとが、はんだを介して電気的に接続された状態で固定される。はんだは、外部電極１０３と基板電極９０ａおよび基板電極９０ｂとの間の隙間を埋めるとともに、外部電極１０３を被覆して、はんだフィレット層７０を形成している。具体的には、はんだフィレット層７０は、外部電極１０３の両側面部に沿って形成されている。
【００６１】
このような状態で実装された積層型コンデンサ１００に、直流電圧（ＤＣバイアス）とともに交流電圧が印加されると、直流電圧による電歪効果のため誘電体層１０１ａに圧電的な性質が生じ、交流電圧により圧電振動が発生する。さらに、積層型コンデンサ１００は、はんだフィレット層７０を介して圧電振動が基板９０に伝わり、基板９０を振動させ、基板９０が可聴域の共振周波数で共振した際に、音鳴きと呼ばれる振動音を発生させる。
【００６２】
ここで、積層型コンデンサ１００は、単体の圧電振動のシミュレーションを行なう。まず、積層型コンデンサ１００は、４Ｖの直流電圧（ＤＣバイアス）を印加した状態でインピーダンスが測定される。図１５は測定結果である。
【００６３】
積層型コンデンサ１００は、これに基づくモデル（誘電体材料：チタン酸バリウム系材料、内部電極層：Ｎｉ、外部電極（下地電極）：Ｃｕ、積層体寸法：１１００×６２０×６２０（μｍ）、外部電極厚み２０μｍ）を用いてインピーダンスのシミュレーションを行なう。積層型コンデンサ１００は、２ＧＨｚ以上の周波数領域に存在する圧電共振ピークについて、測定した実測値に合致するように材料パラメータがフィッティングされる。図１６は、インピーダンスのシミュレーションに使用した有限要素法のモデルを模式的に示したものであり、対称性を考慮した１／８モデルである。図１６の前面の２つの断面および下側の断面は対称面である。
【００６４】
表１は、フィッティングにより得られた誘電体層１０１ａのパラメータ（弾性スティフネスｃｉｊおよび圧電定数ｅｉｊ）である。表１より、積層型コンデンサ１００の誘電体層１０１ａの材料特性には異方性（ｃ１１＞ｃ３３、ｃ２２＞ｃ３３）があることがわかる。これは、内部電極層１０２による圧縮応力に起因するものと考えられる。
【００６５】
【表１】
2016208633.tif 000003
【００６６】
また、積層型コンデンサ１００は、得られたパラメータを用いて、可聴周波数領域（２０Ｈｚ〜２０ｋＨｚ）における振動モードが計算される。計算には、上述の１／８モデルを用いた。図１７は、１０ｋＨｚにおける計算結果である。なお、１／８モデルは、図１６に示すように、対称性を考慮したものであるる。図１６の全面の２つの断面および下側の断面は対称面である。図１７（ａ）は、１／８モデルの内部側（対称面側）からみたものであり、図１７（ｂ）は、図１７（ａ）の反対側、すなわち、１／８モデルの外部側（表面側）からみたものである。図１７において、破線は交流電圧を印加していない状態の積層型コンデンサ１００の形状を示している。また、図１７（ａ）において、実線は交流電圧により最大に変位した状態の積層型コンデンサ１００の形状を示している。
【００６７】
この結果から、可聴周波数領域において、積層型コンデンサ１００は、積層面方向には拡がり振動を、積層方向（厚み方向）には伸縮振動をしていることがわかる。図１８は、積層型コンデンサ１００の全体を模式的に表している。積層型コンデンサ１００は、積層方向に対向して位置する上面４ａおよび下面４ｂにおいて、上面４ａおよび下面４ｂの各辺の中央部に、振動振幅が小さい、すなわち、振動の節ともいえる領域（以下、節状部１５という）が存在することがわかる。
【００６８】
本実施の形態１に係る積層型コンデンサ１０は、積層型コンデンサ１００と同等であるため、積層型コンデンサ１００と同様に、上述の節状部１５が各辺の中央部に存在する。したがって、積層型コンデンサ１０は、節状部１５に一対の外部電極３を設けて、この一対の外部電極３をはんだを介して基板９に固定することによって、基板９への圧電振動の伝播が抑制され、音鳴きを低減できると考えられる。
【００６９】
積層型コンデンサ１０は、図１８（ｂ）に示すように、各辺の中央部に節状部１５が存在しており、第１の外部電極３ａおよび第２の外部電極３ｂを節状部１５に設けたことから、節状部１５で基板９に固定されることになる。
【００７０】
一対の外部電極３は、第１の外部電極３ａが節状部１５を含むように第１の側面４ｅに設けられ、上面４ａおよび下面４ｂに延在しており、同様に、第２の外部電極３ｂが節状部１５を含むように第２の側面４ｆに設けられ、上面４ａおよび下面４ｂに延在している。
【００７１】
さらに、積層型コンデンサ１０において、一対の外部電極３は、側面部３ａ１（側面部３ｂ１）と下面延在部３ａ３（下面延在部３ｂ３）との間の稜線部における積層体１の長手方向に沿った長さＬ２が側面部３ａ１（側面部３ｂ１）と上面延在部３ａ２（上面延在部３ｂ２）との間の稜線部における積層体１の長手方向に沿った長さＬ１よりも大きい。
【００７２】
また、第１の外部電極３ａは、節状部１５の内側に位置するように第１の側面４ｅに設けられ、上面４ａおよび下面４ｂに延在してもよい。また、第２の外部電極３ｂは節状部１５の内側に位置するように第２の側面４ｆに設けられ、上面４ａおよび下面４ｂに延在していてもよい。
【００７３】
図１９は、一対の外部電極３の形成方法の一例を示す説明図である。。
【００７４】
一対の下地電極５は、図１９に示すように、ローラ転写法を用いて、下地電極５となる導電性ペースト１７が第１の側面４ｅ（第２の側面４ｆ）、上面４ａおよび下面４ｂにそれぞれ設けられる。
【００７５】
図１９に示すように、積層体１の送り速度および回転転写ローラ１６の回転速度を積層体１の上面４ａおよび下面４ｂに溜まるように調整することによって、下地電極５となる導電性ペースト１７は、第１の側面４ｅおよび第２の側面４ｆに転写される。これによって、下地電極５となる導電性ペースト１７は、第１の側面４ｅ（第２の側面４ｆ）に設けられるとともに、上面４ａおよび下面４ｂに延在するように設けられる。
【００７６】
また、積層型コンデンサ１０は、例えば、積層体１の送り速度および回転転写ローラ１６の回転速度を積層体１の送り速度：回転転写ローラ１６の回転速度＝１０００：９９９〜１００１の関係にして下地電極５が設けられる。このように、積層型コンデンサ１０は、積層体１の送り速度および回転転写ローラ１６の回転速度をほぼ同じ速度にして下地電極５が設けらえる。これによって、積層型コンデンサ１０は、積層方向から平面透視して、上面４ａに設けられる下地電極５の積層体１の短手方向に沿った長さおよび下面４ｂに設けられる下地電極５の積層体１の短手方向に沿った長さをほぼ同じ長さにすることができる。さらに、積層型コンデンサ１０は、第１の側面４ｅ（第２の側面４ｆ）と下面４ｂとの間の稜線部に設けられる下地電極５の積層体１の長手方向に沿った長さを第１の側面４ｅ（第２の側面４ｆ）と上面４ａとの間の稜線部に設けられる下地電極５の積層体１の長手方向に沿った長さよりも大きくすることができる。なお、上面延在部３ａ２（上面延在部３ｂ２）および下面延在部３ａ３（下面延在部３ｂ３）の形状は、下地電極５の形状に反映されることになる。
【００７７】
一対の外部電極３は、転写された導電性ペースト１７が焼結して下地電極５となり、金属層６が下地電極５の表面を覆うように設けられる。これによって、一対の外部電極３（第１の外部電極３ａおよび第２の外部電極３ｂ）は、側面部３ａ１（３ｂ１）と下面延在部３ａ３（３ｂ３）との間の稜線部における積層体１の長手方向に沿った長さＬ２が側面部３ａ１（３ｂ１）と上面延在部３ａ２（３ｂ２）との間の稜線部における積層体１の長手方向に沿った長さＬ１よりも大きくなる。また、導電性ペースト１７は、射出ニードル１８から回転転写ローラ１６に供給されて、スクレッパー１９でもって膜厚が調整される。
【００７８】
このように、積層型コンデンサ１０において、一対の外部電極３は、側面部３ａ１が第１の側面４ｅの中央部を含むとともに両端部を含まないように設けられ、また、側面部３ｂ１が第２の側面４ｆの中央部を含むとともに両端部を含まないように設けられている。さらに、第１の外部電極３ａは、側面部３ａ１と下面延在部３ａ３との間の稜線部における積層体１の長手方向に沿った長さＬ２が側面部３ａ１と上面延在部３ａ２との間の稜線部における積層体１の長手方向に沿った長さＬ１よりも大きい。また、第２の外部電極３ｂは、側面部３ｂ１と下面延在部３ｂ３との間の稜線部における積層体１の長手方向に沿った長さＬ２が側面部３ｂ１と上面延在部３ｂ２との間の稜線部における積層体１の長手方向に沿った長さＬ１よりも大きくなるように設けられている。
【００７９】
積層型コンデンサ１０は、節状部１５を含む比較的に振動振幅の小さい領域を上面４ａおよび下面４ｂの長辺の中央部に有している。すなわち、積層型コンデンサ１０は、上面４ａおよび下面４ｂと第１の側面４ｅとの間の稜線部の中央部に、また、上面４ａおよび下面４ｂと第２の側面４ｆとの間の稜線部の中央部に節状部１５を含む比較的に振動振幅の小さい領域を有している。第１の外部電極３ａおよび第２の外部電極３ｂは、節状部１５を含む比較的に振動振幅の小さい領域に設けられているので、音鳴りを抑制することができる。
【００８０】
また、積層型コンデンサは、一対の外部電極３が第１の側面４ｅおよび第２の側面４ｆの中央部に上面４ａから下面４ｂにかけて同じ幅で設けられると、一対の外部電極３の積層体１の長手方向に沿った長さが小さくなる。一対の外部電極３と基板電極９ａ（基板電極９ｂ）との接合領域が小さくなる。これによって、積層型コンデンサは、接合安定性が低下しやすくなる虞がある。
【００８１】
しかしながら、積層型コンデンサ１０は、下面延在部３ａ３および下面延在部３ｂ３の積層体１の長手方向に沿った長さが上面延在部３ａ２および上面延在部３ｂ２の積層体１の長手方向に沿った長さよりも長い。すなわち、側面部３ａ１（側面部３ｂ１）と下面延在部３ａ３（下面延在部３ｂ３）との間の稜線部における積層体１の長手方向に沿った長さＬ２は、側面部３ａ１（側面部３ｂ１）と上面延在部３ａ２（下面延在部３ｂ３）との間の稜線部における積層体１の長手方向に沿った長さＬ１よりも大きい。このように、一対の外部電極３は、基板９の実装面に対向する下面延在部３ａ３および下面延在部３ｂ３の面積が大きくなるので、基板電極９ａおよび基板電極９ｂとの接合領域が大きくなり、積層型コンデンサ１０を基板９に安定的に実装することができる。
【００８２】
したがって、積層型コンデンサ１０は、音鳴きを抑制するとともに、実装安定性および実装信頼性を向上させることができる。
【００８３】
積層型コンデンサ１０は、上面４ａの中央近傍での振動振幅が大きく、この振動振幅の大きい上面４ａに位置する上面延在部３ａ２および上面延在部３ｂ２の領域を小さくすることによって、振動が基板９に伝わりにくくなり、より音鳴きの抑制効果が得られる。
【００８４】
本発明の一実施形態は、上述の実施の形態１に係る積層型コンデンサ１０に限定されるものではなく、本発明の要旨を逸脱しない範囲において種々の変更、改良等が可能である。他の実施の形態は以下で説明する。なお、他の実施の形態に係る積層型コンデンサのうち、実施の形態１に係る積層型コンデンサ１０と同様な部分については、同一の符号を付して適宜説明を省略する。
【００８５】
＜実施の形態２＞
本発明の実施の形態２に係る積層型コンデンサ１０Ａおよび積層型コンデンサ１０Ａ１は、図４および図７（ａ）を参照しながら以下で説明する。
【００８６】
側面部３ａ１（側面部３ｂ１）は、第１の側面４ｅ（第２の側面４ｆ）に垂直な方向から側面視して積層体１の長手方向に沿った長さが下面４ｂの側よりも上面４ａの側の方が大きい。
【００８７】
図４（ａ）に示すように、積層型コンデンサ１０Ａでは、側面部３ａ１（側面部３ｂ１）は、第１の側面４ｅ（第２の側面４ｆ）において長さＬ２を有する領域が大きくなっている。このように、一対の外部電極３は、Ｌ２＞Ｌ１の関係であればよく、側面部３ａ１（側面部３ｂ１）の形状を特に限定しない。積層型コンデンサ１０と比較して、積層型コンデンサ１０Ａは、側面部３ａ１（側面部３ｂ１）が積層方向において長さＬ２を有する領域が上面４ａの側に向かって延びている。側面部３ａ１（側面部３ｂ１）は、第１の側面４ｅ（第２の側面４ｆ）の中央部から下面４ｂの側において長さＬ２の長さで端面方向（Ｘ方向）に拡がっている。このように、積層型コンデンサ１０Ａは、第１の側面４ｅ（第２の側面４ｆ）において、側面部３ａ１（側面部３ｂ１）の長さＬ２を有する領域が大きくなっている。これによって、積層型コンデンサ１０Ａは、重心が下方に位置するとともに、はんだフィレット層７との接合領域が大きくなり、実装安定性が向上する。
【００８８】
また、積層型コンデンサ１０Ａ１は、図４（ｂ）に示すように、第１の側面４ｅ（第２の側面４ｆ）の中央部から上面４ａの側において、側面部３ａ１（側面部３ｂ１）が長さＬ１の幅を有している。また、積層型コンデンサ１０Ａ１は、第１の側面４ｅ（第２の側面４ｆ）の中央部から下面４ｂの側において、側面部３ａ１（側面部３ｂ１）が長さＬ２の幅を有するとともに端面方向（Ｘ方向）に向かって凸状に湾曲している。すなわち、積層型コンデンサ１０Ａ１は、側面部３ａ１（側面部３ｂ１）が第１の側面４ｅ（第２の側面４ｆ）の中央部から下方側において端面方向（Ｘ方向）に向かって湾曲する湾曲部を有している。積層型コンデンサ１０Ａ１は、さらに、長さＬ１を有する領域から長さＬ２を有する領域に向かう境界部が湾曲している。このように、積層型コンデンサ１０Ａ１は、重心が下方に位置するとともに、はんだフィレット層７との接合領域が大きくなり、実装安定性が向上する。
【００８９】
また、積層型コンデンサ１０Ａ１は、側面部３ａ１（側面部３ｂ１）が長さＬ１の領域と長さＬ２の領域との間の境界部で湾曲している。積層型コンデンサ１０Ａ１は、図７（ａ）に示すように、例えば、はんだ接合を行なうリフローの際に、溶融はんだ１４が境界部の湾曲する領域に沿うように這い上がり、溶融はんだ１４が円形状になりやすく、表面張力効果を増加させる。積層型コンデンサ１０Ａ１は、側面部３ａ１（側面部３ｂ１）が下面４ｂの側よりも上面４ａの側で積層体１の長手方向に沿った長さが小さくなっている。積層型コンデンサ１０Ａ１は、積層体１の長手方向に沿った長さが小さい領域では、溶融はんだ１４の表面張力によって溶融はんだ１４が濡れにくくなり、溶融はんだ１４の上面４ａの側への這い上がりが抑制される。したがって、積層型コンデンサ１０Ａ１は、振動振幅の大きい第１の側面４ｅの中央部、または、中央部から上方側に、はんだフィレット層７が形成されにくくなり、振動が基板９に伝わりにくくなる。
【００９０】
＜実施の形態３＞
本発明の実施の形態３に係る積層型コンデンサ１０Ｂ、積層型コンデンサ１０Ｂ１および積層型コンデンサ１０Ｂ２は、図５を参照しながら以下で説明する。
【００９１】
側面部３ａ１（側面部３ｂ１）は、第１の側面４ｅ（第２の側面４ｆ）に垂直な方向から側面視して積層体１の長手方向に沿った長さが下面４ｂの側から上面４ａの側に向かうにつれて漸次小さくなっている。
【００９２】
上述のように、積層型コンデンサ１０において、側面部３ａ１（側面部３ｂ１）は、積層方向（Ｚ方向）の中央部における積層体１の長手方向（Ｘ方向）に沿った長さＬ３が長さＬ１とほぼ同じ長さになるように設けられている。側面部３ａ１（側面部３ｂ１）は、Ｌ２＞Ｌ１の関係になるような形状で設けられていればよく、長さＬ１および長さＬ３は互いに異なる長さで設けられていてもよい。このように、一対の外部電極３は、側面部３ａ１（側面部３ｂ１）がＬ２＞Ｌ１の関係であればよく、側面部３ａ１（側面部３ｂ１）の形状を特に限定しない。
【００９３】
図５（ａ）に示すように、側面部３ａ１（側面部３ｂ１）は、積層方向（Ｚ方向）の中央部における積層体１の長手方向（Ｘ方向）に沿った長さＬ３が長さＬ１と長さＬ２との間の長さになるように設けられている。積層型コンデンサ１０Ｂは、第１の側面４ｅ（第２の側面４ｆ）の下面４ｂの側から上面４ａの側に向かって側面部３ａ１（側面部３ｂ１）の積層体１の長手方向に沿った長さＬ３が漸次小さくなるような形状で設けられている。
【００９４】
積層型コンデンサ１０Ｂは、下面４ｂの側から上面４ａの側に向かって側面部３ａ１（側面部３ｂ１）の積層体１の長手方向に沿った長さＬ３を漸次小さくすることによって、重心が下方に位置し、実装安定性が向上する。積層型コンデンサ１０Ｂは、はんだフィレット層７が側面部３ａ１（側面部３ｂ１）の両側部に沿ってなだらかに形成されるので、はんだフィレット層７に対する応力の集中が緩和される。また、積層型コンデンサ１０Ｂは、側面部３ａ１（側面部３ｂ１）の下面４ｂの側の両側部が端面方向（Ｘ方向）に拡がっており、屈曲部を有する形状であり、重心が下方に位置しやすくなる。
【００９５】
積層型コンデンサ１０Ｂ１は、図５（ｂ）に示すように、側面部３ａ１（側面部３ｂ１）の積層体１の長手方向に沿った長さＬ３が第１の側面４ｅ（第２の側面４ｆ）の下端部から上端部に向かって漸次小さくなっており、積層型コンデンサ１０Ｂと同様な効果が得られる。
【００９６】
積層型コンデンサ１０Ｂ２は、図５（ｃ）に示すように、側面部３ａ１（側面部３ｂ１）がＬ２＞Ｌ１の関係であるとともに、側面部３ａ１（側面部３ｂ１）の両側部が端面方向（Ｘ方向）に向かって湾曲する形状を有している。積層型コンデンサ１０Ｂ２は、重心が下方に位置し、実装安定性が向上するとともに、はんだフィレット層７が側面部３ａ１（側面部３ｂ１）の両側部に沿ってさらになだらかに形成されるので、はんだフィレット層７に対する応力の集中がさらに緩和される。
【００９７】
また、積層型コンデンサ１０Ｂ２は、積層方向の中央部における側面部３ａ１（側面部３ｂ１）の積層体１の長手方向（Ｘ方向）に沿った長さＬ３が長さＬ１と長さＬ２との間の長さで設けられていてもよい。また、積層型コンデンサ１０Ｂ２は、長さＬ３が長さＬ２よりも大きい長さで設けられていてもよく、また、長さＬ３が長さＬ２とほぼ同じ長さで設けられていてもよい。
【００９８】
＜実施の形態４＞
本発明の実施の形態４に係る積層型コンデンサ１０Ｃおよび積層型コンデンサ１０Ｃ１は、図６および図７（ｂ）を参照しながら以下で説明する。
【００９９】
側面部３ａ１（側面部３ｂ１）は、第１の側面４ｅ（第２の側面４ｆ）に垂直な方向から側面視して積層体１の長手方向に沿った長さふぁ中央部から上面４ａの側および下面４ｂの側に向かうにつれて漸次大きくなっている。
【０１００】
積層型コンデンサ１０Ｃは、図６（ａ）に示すように、側面部３ａ１（側面部３ｂ１）と下面延在部３ａ３（下面延在部３ｂ３）との間の稜線部における積層体１の長手方向に沿った長さＬ２が側面部３ａ１（側面部３ｂ１）と上面延在部３ａ２（上面延在部３ｂ２）との間の稜線部における積層体１の長手方向に沿った長さＬ１よりも大きくなるように設けられている。さらに、側面部３ａ１（側面部３ｂ１）は、両側部が内側に凹む湾曲部（丸み）を有しており、積層体１の長手方向に沿った長さＬ３が積層方向の上面４ａの側および下面４ｂの側で大きくなっている。このように、一対の外部電極３は、側面部３ａ１（側面部３ｂ１）がＬ２＞Ｌ１の関係であればよく、側面部３ａ１（側面部３ｂ１）の形状を特に限定しない。
【０１０１】
また、積層型コンデンサ１０Ｃ１は、図６（ｂ）に示すように、側面部３ａ１（側面部３ｂ１）の積層体１の長手方向に沿った長さＬ３が中央部から上面４ａの側および下面４ｂの）に向かって漸次大きくなっている。側面部３ａ１（側面部３ｂ１）は、両側部が内側に凹む湾曲部（丸み）を有している。また、積層型コンデンサ１０Ｃ１は、中央部における側面部３ａ１（側面部３ｂ１）の積層体１の長手方向に沿った長さＬ３が積層型コンデンサ１０Ｃよりも小さく、Ｌ２＞Ｌ１＞Ｌ３の関係になっている。
【０１０２】
積層型コンデンサ１０Ｃおよび積層型コンデンサ１０Ｃ１は、側面部３ａ１（側面部３ｂ１）がＬ２＞Ｌ１の関係になっている。積層型コンデンサ１０Ｃおよび積層型コンデンサ１０Ｃ１は、側面部３ａ１（側面部３ｂ１）の両側部に内側に凹む湾曲部（丸み）を有している。積層型コンデンサ１０Ｃおよび積層型コンデンサ１０Ｃ１は、重心が下方に位置し、実装安定性が向上するとともに、はんだフィレット層７が側面部３ａ１（側面部３ｂ１）の湾曲した両側部に沿ってさらになだらかに形成される。したがって、積層型コンデンサ１０Ｃおよび積層型コンデンサ１０Ｃ１は、はんだフィレット層７に対する応力の集中がさらに緩和される。
【０１０３】
また、積層型コンデンサ１０Ｃおよび積層型コンデンサ１０Ｃ１は、振動振幅の大きい第１の側面４ｅ（第２の側面４ｆ）の中央部、または、中央部の上方側に、はんだフィレット層７が形成されにくく、振動が基板９に伝わりにくくなる。
【０１０４】
具体的には、側面部３ａ１（側面部３ｂ１）は、両側部に内側に凹む湾曲部（丸み）を有している。側面部３ａ１（側面部３ｂ１）は、図７（ｂ）に示すように、例えば、はんだ接合を行なうリフローの際に、溶融はんだ１４が両側の湾曲部に挟まれた領域の湾曲部に沿うように這い上がり、溶融はんだ１４が円形状になりやすく、表面張力効果を増加させる。積層型コンデンサ１０Ｃ１において、側面部３ａ１（側面部３ｂ１）は、第１の側面４ｅ（第２の側面４ｆ）の中央部の積層体１の長手方向に沿った長さＬ３が小さくなっている。側面部３ａ１（側面部３ｂ１）は、中央部の積層体１の長手方向に沿った長さＬ３が小さい領域では、溶融はんだ１４の表面張力によって溶融はんだ１４が濡れにくくなり、溶融はんだ１４の上方への這い上がりが抑制され、はんだフィレット層７が形成されにくくなる。なお、積層型コンデンサ１０Ｃ１は、側面部３ａ１（側面部３ｂ１）の中央部において側面部３ａ１（側面部３ｂ１）の積層体１の長手方向に沿った長さＬ３が積層型コンデンサ１０Ｃよりも小さくなっており、上面４ａの側への溶融はんだ１４の這い上がりがさらに抑制される。また、側面部３ａ１（側面部３ｂ１）の湾曲部の形状は、溶融はんだ１４のはんだ量等に応じて適宜に設定される。
【０１０５】
＜実施の形態５＞
本発明の実施の形態５に係る積層型コンデンサ１０Ｄは、図８および図９を参照しながら以下で説明する。なお、図８は図１（ｃ）に相当するものである。図９は図２に相当するものである。積層型コンデンサ１０Ｄは、積層型コンデンサ１０とは下面延在部３ａ３（下面延在部３ｂ３）の大きさ、すなわち、積層体１の短手方向（Ｙ方向）に沿った長さが上面延在部３ａ２（上面延在部３ｂ２）と下面延在部３ａ３（下面延在部３ｂ３）では異なっている。
【０１０６】
積層型コンデンサ１０Ｄは、下面延在部３ａ３および下面延在部３ｂ３の先端部は、積層方向から平面透視して上面延在部３ａ２および上面延在部３ｂ２の先端部よりも下面４ｂの中央部側に位置している。すなわち、一対の外部電極３は、図９に示すように、下面延在部３ａ３（下面延在部３ｂ３）の積層体１の短手方向（Ｙ方向）に沿った長さＷ２が上面延在部３ａ２（上面延在部３ｂ２）の積層体１の短手方向（Ｙ方向）に沿った長さＷ１よりも長く。上面延在部３ａ２（上面延在部３ｂ２）および下面延在部３ａ３（下面延在部３ｂ３）は、凸状に湾曲して上面４ａおよび下面４ｂにそれぞれ延在している。
【０１０７】
したがって、積層型コンデンサ１０Ｄにおいて、一対の外部電極３は、側面部３ａ１（側面部３ｂ１）と下面延在部３ａ３（下面延在部３ｂ３）との間の稜線部における積層体１の長手方向に沿った長さＬ２が側面部３ａ１（側面部３ｂ１）と上面延在部３ａ２（上面延在部３ｂ２）との間の稜線部における積層体１の長手方向に沿った長さＬ１よりも大きく、Ｌ２＞Ｌ１となっている。さらに、下面延在部３ａ３（下面延在部３ｂ３）は、積層体１の短手方向に沿った長さＷ２が上面延在部３ａ２（上面延在部３ｂ２）の積層体１の短手方向に沿った長さＷ１よりも大きく、Ｗ２＞Ｗ１となり、凸状に湾曲して上面４ａおよび下面４ｂに延在している。また、積層型コンデンサ１０Ｄは、音鳴きの抑制および実装安定性ということから、長さＷ１および長さＷ２がＷ１：Ｗ２＝１：１．５〜２の関係であってもよい。
【０１０８】
積層型コンデンサ１０Ｄは、一対の外部電極３が以下にようにして形成される。例えば、下地電極５となる導電性ペースト１７は、ローラ転写法を用いて積層体１に転写される。転写する際に、積層体１の送り速度および回転転写ローラ１６の回転速度は、積層体１の送り速度：回転転写ローラ１６の回転速度＝１０００：１００５〜１００７の関係にあり、回転転写ローラ１６の回転速度を積層体１の送り速度よりも大きくしている。回転転写ローラ１６の回転速度に対して積層体１の送り速度が遅いと、送り後方に下地電極５となる導電性ペースト１７が溜まりやすく、また、送り前方には導電性ペースト１７が供給されにくくなる。
【０１０９】
このように、回転転写ローラ１６の回転速度は積層体１の送り速度よりも大きくする。これによって、側面部３ａ１（３ｂ１）と下面延在部３ａ３（３ｂ３）との間の稜線部における積層体１の長手方向に沿った長さＬ２が側面部３ａ１（３ｂ１）と上面延在部３ａ２（３ｂ２）との間の稜線部における積層体１の長手方向に沿った長さＬ１よりも大きく、Ｌ２＞Ｌ１となる。さらに、下面延在部３ａ３（下面延在部３ｂ３）の積層体１の短手方向に沿った長さＷ２が上面延在部３ａ２（上面延在部３ｂ２）の積層体１の短手方向に沿った長さＷ１よりも大きく、Ｗ２＞Ｗ１となる。このようにして、積層型コンデンサ１０Ｄは、上面延在部３ａ２（上面延在部３ｂ２）および下面延在部３ａ３（下面延在部３ｂ３）を上面４ａおよび下面４ｂに形成することができる。
【０１１０】
一対の外部電極３は、転写された導電性ペースト１７が焼結して下地電極５となり、金属層６が下地電極５の表面を覆うように設けられている。また、導電性ペースト１７は、射出ニードル１８から回転転写ローラ１６に供給され、スクレッパー１９でもって導電性ペースト１７の膜厚が調整される。
【０１１１】
このように、一対の外部電極３は、基板９の実装面と対向する下面延在部３ａ３および下面延在部３ｂ３の面積がさらに大きくなる。基板電極９ａおよび基板電極９ｂとの接合領域が大きくなり、積層型コンデンサ１０Ｄは、基板９に安定的に実装することができる。したがって、積層型コンデンサ１０Ｄは、音鳴きを抑制するとともに、実装安定性および実装信頼性をさらに向上させることができる。
【０１１２】
また、積層型コンデンサ１０Ｄは、側面部３ａ１（側面部３ｂ１）に対して実施の形態１乃至実施の形態４に示すような形状を適用することができる。
【０１１３】
＜実施の形態６＞
本発明の実施の形態６に係る積層型コンデンサ１０Ｅおよび積層型コンデンサ１０Ｆは、図１０および図１１を参照しながら以下で説明する。図１０（ａ）は、図１（ｂ）に相当するものである。図１０（ｂ）は、図１（ｃ）に相当するものである。また、図１１は、図１（ｃ）に相当するものである。
【０１１４】
積層型コンデンサ１０Ｅは、図１０に示すように、下面延在部３ａ３および下面延在部３ｂ３の厚みが上面延在部３ａ２および上面延在部３ｂ２の厚みよりも厚くなっている。具体的には、積層型コンデンサ１０Ｅは、下面４ｂに設けられる下地電極５の厚みを上面４ａに設けられる下地電極５の厚みよりも厚くすることで下面延在部３ａ３および下面延在部３ｂ３の厚みを厚くすることができる。
【０１１５】
また、下面４ｂに設けられる下地電極５は、上述の回転転写ローラ１６の回転速度を積層体１の送り速度よりも大きくすることによって、下面４ｂに設けられる下地電極５の厚みを上面４ａに設けられる下地電極５の厚みよりも厚くすることができる。
【０１１６】
下地電極５は、上面４ａにおける厚みが、例えば、３（μｍ）〜５（μｍ）であり、第１の側面４ｅおよび第２の側面４ｆにおける厚みが、例えば、５（μｍ）〜１０（μｍ）である。また、下地電極５は、下面４ｂにおける厚みが上面４ａにおける厚みよりも厚く、例えば、５（μｍ）〜１０（μｍ）である。
【０１１７】
したがって、積層型コンデンサ１０Ｅでは、一対の外部電極３は、下面延在部３ａ３および下面延在部３ｂ３の厚みが上面延在部３ａ２および上面延在部３ｂ２の厚みよりも厚くなっている。下面延在部３ａ３および下面延在部３ｂ３の厚みは、例えば、１５（μｍ）〜２５（μｍ）である。上面延在部３ａ２および上面延在部３ｂ２の厚みは、例えば、１０（μｍ）〜２０（μｍ）である。
【０１１８】
このように、積層型コンデンサ１０Ｅは、基板９の実装面と対向する下面延在部３ａ３および下面延在部３ｂ３の厚みが厚くなっているので、積層体１と基板９の実装面との間隔が大きくなり、基板９に対して圧電振動の伝播が抑制され、音鳴きが低減される。
【０１１９】
また、図１１に示すように、積層型コンデンサ１０Ｆは、一対の外部電極３に樹脂層１１を設けることで、下面延在部３ａ３および下面延在部３ｂ３の厚みを厚くすることができる。具体的には、下地電極５と金属層６との間に導電性樹脂からなる樹脂層１１を設けて、下面４ｂに設けられる樹脂層１１の厚みを上面４ａに設けられる樹脂層１１の厚みよりも厚くすることで下面延在部３ａ３および下面延在部３ｂ３の厚みを厚くすることができる。
【０１２０】
下面４ｂに設けられる樹脂層１１は、上述の回転転写ローラ１６の回転速度を積層体１の送り速度よりも大きくすることによって、下面４ｂに設けられる樹脂層１１の厚みを上面４ａに設けられる樹脂層１１の厚みよりも厚くすることができる。
【０１２１】
下地電極５は、上面４ａにおける厚みが、例えば、３（μｍ）〜５（μｍ）であり、第１の側面４ｅおよび第２の側面４ｆにおける厚みが、例えば、５（μｍ）〜１０（μｍ）であり、下面４ｂにおける厚みが、例えば、３（μｍ）〜５（μｍ）である。また、樹脂層１１は、上面４ａにおける厚みが、例えば、２０（μｍ）〜４０（μｍ）であり、第１の側面４ｅおよび第２の側面４ｆにおける厚みが、例えば、４０（μｍ）〜６０（μｍ）である。また、樹脂層１１は、下面４ｂにおける厚みが上面４ａにおける厚みよりも厚く、例えば、６０（μｍ）〜８０（μｍ）である。
【０１２２】
したがって、積層型コンデンサ１０Ｆでは、一対の外部電極３は、下面延在部３ａ３および下面延在部３ｂ３の厚みが上面延在部３ａ２および上面延在部３ｂ２の厚みよりも厚くなっている。下面延在部３ａ３および下面延在部３ｂ３の厚みは、例えば、７０（μｍ）〜１００（μｍ）である。上面延在部３ａ２および上面延在部３ｂ２の厚みは、例えば、３０（μｍ）〜６０（μｍ）である。
【０１２３】
また、樹脂層１１は、導電性樹脂であり、例えば、エポキシ樹脂、シリコーン樹脂またはウレタン樹脂等の樹脂材料に、導電性材料が含まてている。導電材料は、例えば、ニッケル（Ｎｉ）、銅（Ｃｕ）、銀（Ａｇ）、白金（Ｐｔ）、パラジウム（Ｐｄ）または金（Ａｕ）等の金属材料の粉末（フィラー）である。あるいは、導電材料は、これらの金属材料の一種以上を含む、例えば、Ａｇ−Ｐｄ合金等の合金材料の粉末（フィラー）である。
【０１２４】
また、下面延在部３ａ３（下面延在部３ｂ３）は、積層体１の短手方向に沿った長さＷ２が上面延在部３ａ２（上面延在部３ｂ２）の積層体１の短手方向に沿った長さＷ１よりも大きく、Ｗ２＞Ｗ１となっていてもよい。
【０１２５】
＜実施の形態７＞
本発明の実施の形態７に係る積層型コンデンサ１０Ｇは、図１２を参照しながら以下で説明する。積層型コンデンサ１０Ｇは、積層型コンデンサ１０とは異なり、一対の外部電極３が第１の端面４ｃおよび第２の端面４ｄの中央部を含むように設けられている。なお、積層型コンデンサ１０Ｇは、一対の外部電極３を一対の端面（第１の端面４ｃおよび第２の端面４ｄ）に設けているが、一対の外部電極３の形状等の他の構成については、積層型コンデンサ１０と同様である。
【０１２６】
また、積層型コンデンサ１０Ｇは、上述の積層型コンデンサ１０乃至積層型コンデンサ１０Ｆで適用した技術内容を適宜採用することができる。また、第１の外部電極３Ａおよび第２の外部電極３Ｂは、上述のローラ転写法等を用いて、第１の端面４ｃおよび第２の端面４ｄに設けることができる。
【０１２７】
図１２（ａ）は、本発明の実施の形態７に係る積層型コンデンサ１０Ｇを示す概略の斜視図である。積層型コンデンサ１０Ｇは、誘電体層１ａと内部電極層２とが交互に積層されており、一対の外部電極３が直方体状の積層体１の長手方向の一対の端面に設けられ、互いに異なる内部電極層２にそれぞれ電気的に接続されている。
【０１２８】
一対の外部電極３は、図１２に示すように、第１の外部電極３Ａおよび第２の外部電極３Ｂからなる。第１の外部電極３Ａは、端面部３Ａ１と上面延在部３Ａ２と下面延在部３Ａ３とを有している。端面部３Ａ１は、第１の端面４ｃの中央部を含むように第１の端面４ｃに設けられている。上面延在部３Ａ２は、端面部３Ａ１から積層体１の長手方向（Ｘ方向）の中央部に向かって上面４ａ上に延在している。下面延在部３Ａ３は、端面部３Ａ１から積層体１の長手方向（Ｘ方向）の中央部に向かって下面４ｂ上に延在している。
【０１２９】
また、第２の外部電極３Ｂは、端面部３Ｂ１と上面延在部３Ｂ２と下面延在部３Ｂ３とを有している。端面部３Ｂ１は、第２の端面４ｄの中央部を含むように第２の端面４ｄに設けられている。上面延在部３Ｂ２は、端面部３Ａ１から積層体１の長手方向（Ｘ方向）の中央部に向かって上面４ａ上に延在している。下面延在部３Ｂ３は、端面部３Ｂ１から積層体１の長手方向（Ｘ方向）の中央部に向かって下面４ｂ上に延在している。また、端面部３Ａ１および端面部３Ｂ１は、上述の実施の形態１で示した側面部３ａ１および側面部３ｂ１と同じ形状を用いることができる。
【０１３０】
第１の外部電極３Ａは、節状部１５を含むように第１の端面４ｃに設けられ、上面４ａおよび下面４ｂに延在している。同様に、第２の外部電極３Ｂは、節状部１５を含むように第２の端面４ｄに設けられ、上面４ａおよび下面４ｂに延在している。
【０１３１】
また、第１の外部電極３Ａは、節状部１５の内側に位置するように第１の端面４ｃに設けられ、上面４ａおよび下面４ｂに延在してもよい。また、第２の外部電極３Ｂは、節状部１５の内側に位置するように第２の端面４ｄに設けられ、上面４ａおよび下面４ｂに延在してもよい。
【０１３２】
上面延在部３Ａ２（上面延在部３Ｂ２）および下面延在部３Ａ３（下面延在部３Ｂ３）は、上面４ａおよび下面４ｂの中央部に向かって凸状に湾曲しており、例えば、中央部に向かって円弧状に湾曲して延在している。一対の外部電極３は、積層方向から平面透視して上面延在部３Ａ２（上面延在部３Ｂ２）の積層体１の長手方向に沿った長さＷ３および下面延在部３Ａ３（下面延在部３Ｂ３）の積層体１の長手方向に沿った長さＷ４がほぼ同じ長さになるように設けられている。上面延在部３Ａ２（上面延在部３Ｂ２）および下面延在部３Ａ３（下面延在部３Ｂ３）は、凸状に湾曲して上面４ａおよび下面４ｂに延在している。
【０１３３】
また、積層型コンデンサ１０Ｇは、上面４ａおよび下面４ｂが振動振幅が大きく、上面延在部３Ａ２（上面延在部３Ｂ２）および下面延在部３Ａ３（下面延在部３Ｂ３）の領域を小さくしている。これによって、積層型コンデンサ１０Ｇは、振動が基板９に伝わりにくくするとともに、実装安定性を向上させるために、長さＷ３および長さＷ４が積層体１の長手方向（Ｘ方向）の長さに対して、０．０２〜０．４の範囲内であってもよい。
【０１３４】
また、積層型コンデンサ１０Ｇにおいて、下面延在部３Ａ３（下面延在部３Ｂ３）の先端部は、積層方向から平面透視して上面延在部３Ａ２（上面延在部３Ｂ２）の先端部よりも下面４ｂの中央部側に位置していてもよい。すなわち、下面延在部３Ａ３（下面延在部３Ｂ３）は、積層体１の短手方向に沿った長さＷ４が上面延在部３Ａ２（上面延在部３Ｂ２）の積層体１の短手方向に沿った長さＷ３よりも大きく、Ｗ４＞Ｗ３となっていてもよい。また、積層型コンデンサ１０Ｇは、音鳴きの抑制および実装安定性ということ点から、Ｗ３：Ｗ４＝１：１．５〜２の関係であってもよい。
【０１３５】
積層型コンデンサ１０Ｇにおいては、積層型コンデンサ１０と同様に、上面延在部３Ａ２および下面延在部３Ａ３は、積層体１の短手方向（Ｙ方向）に沿った長さが第１の端面４ｃ側から上面４ａおよび下面４ｂの中央部側に向かって漸次小さくなっている。上面延在部３Ａ２および下面延在部３Ａ３は、上面４ａおよび下面４ｂの中央部側に突出するように凸状に湾曲しており、中央部側に向かって湾曲する湾曲部を有している。
【０１３６】
また、上面延在部３Ｂ２および下面延在部３Ｂ３は、積層体１の短手方向（Ｙ方向）に沿った長さが第２の端面４ｄ側から上面４ａおよび下面４ｂの中央部側に向かって漸次小さくなっている。上面延在部３Ｂ２および下面延在部３Ｂ３は、上面４ａおよび下面４ｂの中央部側に突出するように凸状に湾曲しており、中央部側に向かって湾曲する湾曲部を有している。
【０１３７】
このように、上面延在部３Ａ２および下面延在部３Ａ３は、中央部側に向かって凸状に湾曲する湾曲部を有しており、湾曲部が、例えば、凸状に湾曲する円弧状、半円形状または半楕円形状等である。同様に、上面延在部３Ｂ２および下面延在部３Ｂ３は、中央部側に向かって凸状に湾曲する湾曲部を有しており、湾曲部が、例えば、凸状に湾曲する円弧状、半円形状または半楕円形状等である。
【０１３８】
積層型コンデンサ１０Ｇは、上面延在部３ａ２（上面延在部３ｂ２）および下面延在部３ａ３（下面延在部３ｂ３）が上面４ａおよび下面４ｂの中央部に向かって凸状に湾曲して延在している。したがって、積層型コンデンサ１０Ｇは、外部電極３が積層体１から剥離しにくくなり、また、はんだ接合部においては、はんだに亀裂等が生じにくくなり、実装の信頼性を向上させることができる。
【０１３９】
また、上面延在部３Ａ２（上面延在部３Ｂ２）および下面延在部３Ａ３（下面延在部３Ｂ３）は、積層方向から平面視して、例えば、第１の端面４ｃ（第２の端面４ｄ）側を底辺（下辺）とする三角形状、台形状または四角形状の多角形状等の形状であってもよい。上面延在部３Ａ２（上面延在部３Ｂ２）および下面延在部３Ａ３（下面延在部３Ｂ３）は、三角形状、台形状または四角形状等の形状でもって上面４ａおよび下面４ｂの中央部に向かって延在していてもよい。また、三角形状または台形状は、積層体１の短手方向に沿った長さが上面４ａおよび下面４ｂの中央部に向かうにつれて漸次小さくなっている。なお、三角形状、台形状または四角形状等の多角形状は、その角部（頂点）が丸みを帯びている場合も含むものとする。
【０１４０】
上面延在部３Ａ２は、積層体１の短手方向に沿った第１の端面４ｃ側の長さＬ４が端面部３Ａ１の上面４ａの側（Ｚ方向の正側）側の長さとほぼ同じ長さで上面４ａに設けられている。また、下面延在部３Ａ３は、積層体１の短手方向に沿った第１の端面４ｃ側の長さＬ５が端面部３Ａ１の下面４ｂの側（Ｚ方向の負側）側の長さとほぼ同じ長さで下面４ｂに設けられている。
【０１４１】
第１の外部電極３Ａは、端面部３Ａ１と下面延在部３Ａ３との間の稜線部における積層体１の短手方向に沿った長さＬ５が端面部３Ａ１と上面延在部３Ａ２との間の稜線部における積層体１の短手方向に沿った長さＬ４よりも大きく、Ｌ５＞Ｌ４となっている。端面部３Ａ１と下面延在部３ａ３との間の稜線部における積層体１の短手方向に沿った長さＬ５とは、第１の端面４ｃと下面４ｂとの間の稜線部に位置する第１の外部電極３Ａの積層体１の短手方向に沿った長さである。端面部３Ａ１と上面延在部３Ａ２との間の稜線部における積層体１の短手方向に沿った長さＬ４とは、第１の端面４ｃと上面４ａとの間の稜線部に位置する第１の外部電極３Ａの積層体１の短手方向に沿った長さである。
【０１４２】
上面延在部３Ｂ２は、積層体１の短手方向に沿った第２の端面４ｄ側の長さＬ４が端面部３Ｂ１の上面４ａの側（Ｚ方向の正側）側の長さとほぼ同じ長さで上面４ａに設けられている。また、下面延在部３Ｂ３は、積層体１の短手方向に沿った第２の端面４ｄ側の長さＬ５が端面部３Ｂ１の下面４ｂの側（Ｚ方向の負側）側の長さとほぼ同じ長さで下面４ｂに設けられている。
【０１４３】
第２の外部電極３Ｂは、端面部３Ｂ１と下面延在部３Ｂ３との間の稜線部における積層体１の短手方向に沿った長さＬ５が端面部３Ｂ１と上面延在部３Ｂ２との間の稜線部における積層体１の短手方向に沿った長さＬ４よりも大きく、Ｌ５＞Ｌ４となっている。端面部３Ｂ１と下面延在部３Ｂ３との間の稜線部における積層体１の短手方向に沿った長さＬ５とは、第１の端面４ｃと下面４ｂとの間の稜線部に位置する第２の外部電極３Ｂの積層体１の短手方向に沿った長さである。端面部３Ｂ１と上面延在部３Ｂ２との間の稜線部における積層体１の短手方向に沿った長さＬ４とは、第１の端面４ｃと上面４ａとの間の稜線部に位置する第２の外部電極３Ｂの積層体１の短手方向に沿った長さである。
【０１４４】
このように、積層型コンデンサ１０Ｇにおいて、一対の外部電極３は、端面部３Ａ１（端面部３Ｂ１）と下面延在部３Ａ３（下面延在部３Ｂ３）との間の稜線部における積層体１の短手方向に沿った長さＬ５が端面部３Ａ１（端面部３Ｂ１）と上面延在部３Ａ２（上面延在部３Ｂ２）との間の稜線部における積層体１の短手方向に沿った長さＬ４よりも大きくなるように設けられている。積層型コンデンサ１０Ｇは、音鳴きの抑制および実装安定性ということから、長さＬ４および長さＬ５が、Ｌ４：Ｌ５＝１：１．５〜２の関係であってもよい。
【０１４５】
また、長さＬ５は、積層型コンデンサ１０Ｇを基板９に実装した時の基板９の振動を低減するために、積層体１の短手方向の長さに対して、０．８以下の長さであってもよい。さらに、長さＬ５は、実装信頼性を向上させるために、積層体１の短手方向の長さに対して、０．６以上の長さであってもよい。
【０１４６】
また、積層型コンデンサ１０Ｇは、積層型コンデンサ１０Ｅまたは積層型コンデンサ１０Ｆと同様に、下面延在部３Ａ３および下面延在部３Ｂ３の厚みが上面延在部３Ａ２および上面延在部３Ｂ２の厚みよりも厚くなっていてもよい。具体的には、積層型コンデンサ１０Ｇは、下面４ｂに設けられる下地電極５の厚みを上面４ａに設けられる下地電極５の厚みよりも厚くすることで下面延在部３Ａ３および下面延在部３Ｂ３の厚みを厚くすることができる。この場合には、下面４ｂに設けられる下地電極５は、回転転写ローラ１６の回転速度を積層体１の送り速度よりも大きくすることによって、下面４ｂに設けられる下地電極５の厚みを上面４ａに設けられる下地電極５の厚みよりも厚くすることができる。また、下地電極５と金属層６との間に導電性樹脂からなる樹脂層１１を設けて、下面４ｂに設けられる樹脂層１１の厚みを上面４ａに設けられる樹脂層１１の厚みよりも厚くすることで下面延在部３Ａ３および下面延在部３Ｂ３の厚みを厚くすることができる。
【０１４７】
また、積層型コンデンサ１０Ｇは、例えば、第１の外部電極３Ａと基板電極９ａとがはんだを介してはんだ接合され、また、第２の外部電極３Ｂと基板電極９ｂとがはんだを介してはんだ接合される。はんだ接合された積層型コンデンサ１０Ｇは、下面４ｂが基板９の実装面と対向している。
【０１４８】
積層型コンデンサ１０Ｇは、積層型コンデンサ１０乃至積層型コンデンサ１０Ｆとは異なり、一対の外部電極３が第１の端面４ｃおよび第２の端面４ｄの中央部を含むように設けられている。積層型コンデンサ１０Ｇは、上述の実施の形態１乃至実施の形態６に示すような構成の一対の外部電極３を第１の端面４ｃおよび第２の端面４ｄに適用することができる。
【０１４９】
上述のように、積層型コンデンサ１０Ｇは、一対の外部電極３が一対の端面の中央部を含むように設けられている。積層型コンデンサ１０Ｇは、他の構成については、積層型コンデンサ１０乃至積層型コンデンサ１０Ｆと同様な構成を有しており、積層型コンデンサ１０乃至積層型コンデンサ１０Ｆと同様な効果を得ることができる。
【０１５０】
本発明の一実施形態は、上述した実施の形態に特に限定されるものではなく、本発明の範囲内で種々の変更および改良が可能である。例えば、本発明の範囲内において、一対の外部電極の側面部がそれぞれの側面で異なる形状を有していてもよい。
【符号の説明】
【０１５１】
１  積層体
１ａ  誘電体層
２  内部電極層
２ａ  第１の内部電極層
２ａａ  引出部
２ｂ  第２の内部電極層
２ｂａ  引出部
３  外部電極
３ａ、３Ａ  第１の外部電極
３ａ１  側面部
３Ａ１  端面部
３ａ２、３Ａ２  上面延在部
３ａ３、３Ａ３  下面延在部
３ｂ、３Ｂ  第２の外部電極
３ｂ１  側面部
３Ｂ１  端面部
３ｂ２、３Ｂ２  上面延在部
３ｂ３、３Ｂ３  下面延在部
４ａ  上面
４ｂ  下面
４ｃ  第１の端面
４ｄ  第２の端面
４ｅ  第１の側面
４ｆ  第２の側面
５  下地電極
６  金属層
６ａ  第１の金属層
６ｂ  第２の金属層
７  はんだフィレット層
８  ２等分線
９  基板
９ａ、９ｂ  基板電極
１０、１０Ａ〜１０Ｇ  積層型コンデンサ
１１  樹脂層
１４  溶融はんだ
１５  節状部
１６  回転転写ローラ
１７  導電性ペースト
１８  射出ニードル
１９  スクレッパー
【図１】
2016208633.tif 000004
【図２】
2016208633.tif 000005
【図３】
2016208633.tif 000006
【図４】
2016208633.tif 000007
【図５】
2016208633.tif 000008
【図６】
2016208633.tif 000009
【図７】
2016208633.tif 000010
【図８】
2016208633.tif 000011
【図９】
2016208633.tif 000012
【図１０】
2016208633.tif 000013
【図１１】
2016208633.tif 000014
【図１２】
2016208633.tif 000015
【図１３】
2016208633.tif 000016
【図１４】
2016208633.tif 000017
【図１５】
2016208633.tif 000018
【図１６】
2016208633.tif 000019
【図１７】
2016208633.tif 000020
【図１８】
2016208633.tif 000021
【図１９】
2016208633.tif 000022
【国際調査報告】
2016208633.tif 000023
2016208633.tif 000024
2016208633.tif 000025
2016208633.tif 000026